(57)【要約】表面および裏面を有し、二つの対向端がマットレスにシーツ（１４）を密着して装着するためのポケットを画定するシーツ（１４）を持つベビーベッド用安全シーツおよび毛布複合体（１０）。毛布（１２）はその中線に沿ってボックスシーツ（１４）の中央に縫着され、二つの毛布半体を画定する。毛布（１２）の二つの半体で乳幼児を包み込み、乳幼児を仰臥位に維持するように固定した状態で、乳幼児を毛布（１２）に配置することができるように、フックアンドループ締結材の係合帯片を毛布（１２）の二つの半体に取り付ける。複数の弾性ストラップがボックスシーツ（１４）の底を横切って延在して、フックアンドループ締結材の係合帯片によりシーツ（１４）の側面に着脱自在に固定して、シーツ（１４）をマットレス上に保持することができる。
2005530521.tif 000002
【特許請求の範囲】
【請求項１】
シーツと、
上面、底面、および長手方向中線を有する第一毛布であって、二つの毛布半体を画定する前記中線に沿って前記シーツの上面に縫着された第一毛布と、
前記二つの半体で乳幼児を包み込むときに、前記第一毛布の前記二つの半体を一時的に結束するための毛布締結手段と、
前記シーツを寝床面に取り付けるための手段と、
を含み、それによって、乳幼児を睡眠中に仰臥位に維持するために、前記毛布の前記二つの半体で乳幼児を包み込み、前記半体を前記毛布締結手段によって固定することができる、
乳幼児用の安全シーツおよび毛布複合体。
【請求項２】
前記シーツが上面、底面、第一側面および対向する第二側面、ならびに二つの対向端を有するボックスシーツを含み、前記取り付けるための手段が、
前記ボックスシーツの前記対向端によって画定される一対のポケットであって、マットレスの対向端に密着して装着するように適応されたポケットと、
各々が前記ボックスシーツの前記第一側面に固定的に取り付けられた第一端を有し、かつ第二端を有する、複数のストラップと、
各々の前記ストラップの前記第二端を前記ボックスシーツの前記第二側面に着脱自在に取り付けるためのストラップ締結手段と、
を含み、それによって前記ボックスシーツをマットレスに固定することができ、乳幼児を睡眠中に仰臥位に維持するために、前記毛布の左右側部で乳幼児を包み込み、前記左右側部を前記毛布締結手段によって固定することができる、
請求項１に記載の安全シーツおよび毛布複合体。
【請求項３】
前記ストラップ締結手段が、前記ボックスシーツの前記第二側面および各々の前記ストラップの前記第一端に配置されたフックアンドループ締結材の係合帯片を含む、請求項２に記載の安全シーツおよび毛布複合体。
【請求項４】
前記ボックスシーツの前記ポケットの周囲に配置された弾性帯をさらに含む、請求項２に記載の乳幼児用の安全シーツおよび毛布複合体。
【請求項５】
前記ストラップが弾性材料から作られる、請求項２に記載の安全シーツおよび毛布複合体。
【請求項６】
前記シーツの前記対向側面に沿って配置された複数のアパーチャをさらに含む、請求項２に記載の安全シーツおよび毛布複合体。
【請求項７】
前記シーツおよび前記毛布が、綿、ウール、ポリエステル、シルク、およびナイロンから成る群から選択された材料で作られる、請求項１に記載の安全シーツおよび毛布複合体。
【請求項８】
前記第一毛布の上に配置される第二毛布をさらに含み、
前記第一毛布と前記第二毛布との間に少なくとも一つの鞘が画定される、
請求項１に記載の安全シーツおよび毛布複合体。
【請求項９】
前記第一および第二毛布の間に三つの鞘が画定される、請求項８に記載の安全シーツおよび毛布複合体。
【請求項１０】
前記第一および前記第二毛布の間に画定される少なくとも一つの鞘に挿入される支持材をさらに含む、請求項８に記載の安全シーツおよび毛布複合体。
【請求項１１】
前記支持材が次の群すなわち気泡ゴム、コールドパック、ホットパック、またはトラップエアを利用したパッド装置から選択される、請求項１０に記載の安全シーツおよび毛布複合体。
【請求項１２】
前記取り付けるための手段が、寝床面を受容するように適応されたケースを含み、前記シーツが前記ケースの一体的部分を形成する、
請求項１に記載の安全シーツおよび毛布複合体。
【請求項１３】
前記シーツがフラットシーツを含み、前記フラットシーツが、
上面、底面、および二つの対向端と、
一方の前記対向端を他方の前記対向端に取り付けるための端取付け手段と、
前記フラットシーツに配置された複数のアパーチャと、
を有する、請求項１に記載の安全シーツおよび毛布複合体。
【請求項１４】
前記端取付け手段が、前記フラットシーツの対向端に取り付けられたフックアンドループ締結材の係合帯片を含む、請求項１３に記載の安全シーツおよび毛布複合体。
【請求項１５】
前記アパーチャに通される複数のストラップをさらに含む、請求項１３に記載の安全シーツおよび毛布複合体。
【請求項１６】
前記シーツの上に配置される複数のファスナをさらに含む、請求項１３に記載の安全シーツおよび毛布複合体。
【請求項１７】
前記シーツが、上面、底面、および二つの対向端を有するフラットシーツを含み、前記フラットシーツが前記フラットシーツの前記対向端に沿って配置された複数のフックアンドループ材片を有し、
前記取り付けるための手段が、寝床面に巻き付けるように適応された複数のストラップを含み、各ストラップが上面、底面、および二つの対向端を有し、各々の前記ストラップの前記端の少なくとも一つが、前記フラットシーツへの着脱自在の取付けのために、そこに取り付けられたフックアンドループ材の帯片を有し、
フラットスペーサを含み、各々の前記ストラップが前記スペーサに取り付けられるか、または前記スペーサを通り抜ける、
請求項１に記載の安全シーツおよび毛布複合体。
【請求項１８】
前記シーツの対向縁に沿って配置された複数のリングをさらに含む、請求項１７に記載の安全シーツおよび毛布複合体。
【請求項１９】
上面、底面、第一側面および対向する第二側面、ならびに二つの対向端を有するボックスシーツであって、マットレスの対向端に密着して装着するように適応されたポケットを前記端が画定して成るボックスシーツと、
上面、底面、および長手方向中線を有する第一毛布であって、二つの毛布半体を画定する前記中線に沿って前記ボックスシーツの上面に縫着された第一毛布と、
前記二つの半体で乳幼児を包み込むときに、前記第一毛布の前記二つの半体を一時的に結束するための毛布締結手段と、
各々が前記ボックスシーツの前記第一側面に固定的に取り付けられた第一端を有し、かつ第二端を有する、複数のストラップと、
各々の前記ストラップの前記第二端を前記ボックスシーツの前記第二側面に着脱自在に取り付けるためのストラップ締結手段と、
を含み、それによって、前記ボックスシーツをマットレスに固定することができ、かつ乳幼児を睡眠中に仰臥位に維持するために、前記毛布の前記二つの半体で乳幼児を包み込み、前記半体を前記毛布締結手段によって固定することができる、
乳幼児用の安全シーツおよび毛布複合体。
【請求項２０】
前記毛布締結手段が、前記毛布の前記二つの半体に配置されたフックアンドループ締結材の係合帯片を含む、請求項１９に記載の安全シーツおよび毛布複合体。
【請求項２１】
前記ストラップ締結手段が、前記ボックスシーツの前記第二側面および各々の前記ストラップの前記第一端に配置されたフックアンドループ締結材の係合帯片を含む、請求項１９に記載の安全シーツおよび毛布複合体。
【請求項２２】
前記ボックスシーツの前記ポケットの周囲に配置された弾性帯をさらに含む、請求項１９に記載の乳幼児用の安全シーツおよび毛布複合体。
【請求項２３】
前記ストラップが弾性材料から作られる、請求項１９に記載の安全シーツおよび毛布複合体。
【請求項２４】
前記シーツの前記対向端に沿って配置された複数のグロメットをさらに含む、請求項１９に記載の安全シーツおよび毛布複合体。
【請求項２５】
前記シーツおよび前記毛布が、綿、ウール、ポリエステル、シルク、およびナイロンから成る群から選択された材料で作られる、請求項１９に記載の安全シーツおよび毛布複合体。
【請求項２６】
前記第一毛布の上に配置された第二毛布をさらに含み、前記第一毛布と前記第二毛布との間に少なくとも一つの鞘が画定される、請求項１９に記載の安全シーツおよび毛布複合体。
【請求項２７】
前記第一および前記第二毛布の間に三つの鞘が画定される、請求項２６に記載の安全シーツおよび毛布複合体。
【請求項２８】
前記第一および前記第二毛布の間に画定される少なくとも一つの鞘内に挿入される支持材をさらに含む、請求項２６に記載の安全シーツおよび毛布複合体。
【請求項２９】
前記支持材が気泡ゴムである、請求項２８に記載の安全シーツおよび毛布複合体。
【請求項３０】
前記支持材がエッグクレート型気泡ゴムである、請求項２８に記載の安全シーツおよび毛布複合体。
【請求項３１】
前記支持材がトラップエアを利用したパッド装置である、請求項２８に記載の安全シーツおよび毛布複合体。
【請求項３２】
前記支持材がコールドパックである、請求項２８に記載の安全シーツおよび毛布複合体。
【請求項３３】
前記支持材がホットパックである、請求項２８に記載の安全シーツおよび毛布複合体。
【発明の詳細な説明】
【技術分野】
【０００１】
本発明は、乳幼児の柵付き寝台またはベビーベッド用のシーツおよび毛布に関し、さらに詳しくは、ベビーベッド内の乳幼児を保護するように適応された乳幼児用のシーツと毛布との複合体に関する。
【背景技術】
【０００２】
乳幼児のための様々な乳幼児用毛布および上掛けが当業界に存在している。過去には多くのデザインが、乳幼児を睡眠中に暖かくしておくことだけのために機能した。今日では、乳幼児の睡眠パターンおよび睡眠の安全性について、はるかに多くのことが知られている。乳幼児の暖かさに対する配慮は今や、乳幼児の快適性および安全性に対する配慮と分かち合っている。一部の乳幼児は睡眠中にしばしば姿勢を変えるので、乳幼児の睡眠環境から窒息の危険性をできるだけ無くしながら、同時に乳幼児が安全な睡眠姿勢を維持することを保証することが望ましい。
【０００３】
乳幼児用寝具類のデザインにおける追加の考慮事項は、明らかに健康な乳幼児が明瞭な理由無くベビーベッドで息を引き取る、乳幼児突然死症候群（ＳＩＤＳ）である。ＳＩＤＳの原因は依然として多少謎が残っているが、伏臥位で寝ることがＳＩＤＳの可能性を高めているかもしれない。したがって、乳幼児を睡眠中に仰臥位に維持する装置が望ましい。
【０００４】
米国特許第２，６７７，８３４号は先行デザインの典型である。’８３４特許は、ベビーベッドの側部にスナップ留めファスナにより固定されるベビーベッド用毛布を開示している。該毛布はまた、乳幼児を毛布に固定するための、毛布の上縁に沿った単一のストラップをも含む。この発明は、ベビーベッドに対する毛布の関係を確実に維持するが、本発明とは異なり、単に単一のストラップを使用して、乳幼児を毛布の下に固定するだけである。さらに、該毛布はベビーベッドのシーツには取り付けられない。
【０００５】
米国特許第３，８４５，５１３号および第４，２０２，０５２号は、乳幼児の動きを制約するためにベビーベッド用シーツに縫着された、嵌込み式衣類を開示している。’５１３特許はベッド用シーツに固定された寝袋式毛布を示し、乳児はボタンダウンフラップ付きおむつ保持子によって、かつプルダウンジッパによって、寝袋に固定される。’０５２特許は、ジャケットを取り付けることができる開口がそこに画定される中央ひだ付きシーツを示し、ジャケットはボタンまたはスナップファスナのように見えるものによって乳幼児の周りに固定される。毛布は示されていない。乳幼児をこれらの衣服型発明内に固定するために動かさなければならず、それは、乳幼児をベッドに入れるときにしばしば目覚めさせ、非常に望ましくない副次効果である。
【０００６】
米国特許第６，３０１，７２９号は、ＳＩＤＳを防止するためにデザインされた一つの寝装具を開示している。それは、乳幼児をポケットの一縁とマットレスとの間に固定する、ポケット状毛布装置である。しかし、この寝装具は乳幼児を本発明と同じ方法で固定するものではなく、乳幼児が睡眠中に動いて伏臥位になる危険性無しに乳幼児を横臥位にすることもできない。’３０１の発明はまた、乳幼児が体をくねらせて毛布のポケット内に入るのを防止することもなく、それは窒息の危険性を引き起こし得る。
【発明の開示】
【発明が解決しようとする課題】
【０００７】
したがって、乳幼児を覆って暖かく維持するように機能し、窒息の危険性をできるだけ無くし、使用が簡単であり、調整可能であり、かつ依然として乳幼児の多少の動きを可能にしながら、乳幼児が動いて睡眠中に伏臥位になるのを防止する、乳幼児用寝具製品を持つことが望ましい。
【０００８】
上記の発明および特許はいずれも、単独でもあるいは組み合わせでも、請求の範囲に記載する本発明を記載しているとは理解されない。
【課題を解決するための手段】
【０００９】
本発明は安全シーツおよび毛布複合体（a combination safety sheet/blanket）である。該安全シーツおよび毛布複合体は、上面、底面、第一側部および対向する第二側部、ならびにシーツをマットレスに密着して装着するためのポケットを画定する二つの対向端を持つボックスシーツを有する。上面、底面、および長手方向中線を有する第一毛布は、二つの毛布半体を画定する中線に沿って、ボックスシーツの上面に縫着される。二つの半体で乳幼児を包み込むときに、毛布の二つの半体を一時的に結束するために、毛布締結手段が設けられる。複数のストラップが設けられる。各ストラップは、ボックスシーツの第一側部に固定的に取り付けられる第一端を有する。各ストラップの第二端をボックスシーツの第二側部に着脱自在に取り付けるために、ストラップ締結手段が設けられる。ボックスシーツはマットレスに固定することができ、毛布の二つの半体は乳幼児を包み込み、乳幼児を睡眠中に仰臥位に維持するために、毛布締結手段によって固定することができる。
【００１０】
また、本発明の一部は、乳幼児用の安全シーツおよび毛布複合体でもある。該安全シーツおよび毛布複合体は、シーツと、上面、底面、および長手方向中線を有する第一毛布とを含む。第一毛布は、二つの半体を画定する中線に沿ってシーツの上面に縫着される。上述の通り、第一毛布の二つの半体を一時的に締結するための毛布締結手段が設けられる。安全シーツおよび毛布複合体はまた、シーツを寝床面に取り付けるための手段をも含む。
【発明を実施するための最良の形態】
【００１１】
添付の図面全体を通して、同様の参照番号は対応する特徴を表わす。
【００１２】
本発明の第一実施形態は、図１に示すようにベビーベッド、新生児用かご型ベッド（bassinet）、または類似物のマットレス上に装着される、乳幼児のベビーベッド用安全シーツおよび毛布複合体１０である。本発明は、表面および裏面がある毛布部分１２（毛布）を有する。毛布はボックスシーツ１４に取り付けられる。毛布１２は、乳幼児をくるむか包み込むことができる毛布の二つの半体を画定する、毛布部分１２の長手方向中線に沿って縫着することによって、ボックスシーツ１４の表面の中央に縫着することが好ましい。使用の際、乳幼児が暖かく維持され、背中または横腹で安全シーツおよび毛布複合体１０の中心に確実に配置されるように、毛布１２は（片側がもう一方の側に重なり合う状態で）乳幼児の胴および下肢を包み込む。毛布１２は、フックアンドループ締結材（後述）の四つの係合帯片により、乳幼児の周囲の位置に保持される。
【００１３】
乳幼児は、該安全シーツおよび毛布複合体内に固定されたときに、その腕および頭を完全に動かすことができ、横方向には多少動かすことができるが、完全に寝返りを打つことや毛布１２から抜け出すことはできない。乳幼児をこのような方法で固定することにより、通常、乳幼児の伏臥位での睡眠に関連付けられる乳幼児突然死症候群の可能性は低下する。乳幼児は窒息するような緩い寝具材を持たず、かつ乳幼児は睡眠中に毛布を蹴とばして寒くなることが起こり得ない。
【００１４】
図２は、毛布１２がシーツ１４に対して平坦に載せられ、毛布１２の裏面がシーツ１４の表面と接触している状態でマットレスを包み込んだ安全シーツおよび毛布複合体の平面図である。毛布１２をシーツ１４に固定する縫目２０をこの図で見ることができる。毛布１２の表面に縫着されたフックアンドループ締結材１６ａ、１６ｂは、毛布１２の裏面に縫着された対応するフックアンドループ締結材１８ａ、１８ｂに着脱自在に取り付けられる。図２は二組の係合フックアンドループファスナ（１６ａと１８ａ、および１６ｂと１８ｂ）を示すが、より確実な保持が必要な場合には、追加のファスナ帯片を取り付けて使用することができる。図２はまた、マットレス（後述）の下に巻き付けてボックスシーツ１４の縁をマットレス２４に平坦に固定する、三つの弾性ストラップ２２ａ〜２２ｃも示す。
【００１５】
図２に示す毛布は、毛布の側部を折り曲げて毛布全体の幅を低減することによって、より小さい乳幼児に適応させることができる。毛布の右側を毛布の表面に向かって折り曲げて、そこに存在するスナップファスナ１３で締結することが好ましい。毛布の左側は、毛布の裏面に向かって折り曲げて、そこにあるスナップファスナ１５で固定することが好ましい。
【００１６】
図３は、マットレス２４を包み込んだ安全シーツおよび毛布複合体１０の底面図である。この図は、ボックスシーツをマットレス２４の足部分および頭部分に固定する、ボックスシーツ１４に画定された二つのポケット２６ａ、２６ｂを示す。弾性帯２８は、二つのポケット２６ａ、２６ｂがマットレスを確実に包み込む状態を維持させるように機能する。三つの弾性ストラップ２２ａ、２２ｂ、および２２ｃはボックスシーツ１４の側縁をマットレスに固定し続ける。シーツ１４は、シーツの側部に沿って分散された幾つかの布補強グロメット２３を持つことができる。これらのグロメット２３は、ベビーベッドが利用できない場合に、例えば旅行時に、ベビーベッド用の安全シーツおよび毛布複合体１０を使用することができるように、ベビーベッド用のシーツおよび毛布複合体を大きいベッドのベッド枠に固定するときに、太ゴムひもまたは他の適切な保持装置のアンカポイントとして役立てることができる。
【００１７】
図４は、安全シーツおよび毛布複合体１０の底面の斜視図を示す。弾性ストラップ２２ａ〜２２ｃはボックスシーツ１４の一側部に着脱自在に取り付けられ、各ストラップ２２ａ〜２２ｃのフックアンドループ締結材の一方の帯片３０ａ〜３０ｃはボックスシーツ１４に縫着され、フックアンドループ締結材の係合帯片３２ａ〜３２ｃ（浮き出ているように示す）弾性ストラップ２２ａ〜２２ｃに縫着される。
【００１８】
図５は、睡眠中に追加の物理的支持体を必要とする乳幼児に使用される安全シーツおよび毛布複合体の第二実施形態５０を示す。この実施形態および以下の全ての実施形態は第一実施形態に類似しており、同じ参照番号は同じ構成要素を表わしている。
【００１９】
安全毛布とシーツとの複合体の第二実施形態は、上面および第一毛布１２に取り付けられる底面のある第二毛布４０を有する。第一毛布１２は、この図では解説のためにより大きく示される。一本の横方向の縫目４２は両方の毛布の頂部を一緒に保持し、四本の縦方向の縫目４４ａ〜４４ｄは毛布の縁および中心を一緒に保持する。四本の縦方向の縫目４４ａ〜４４ｄはまた、毛布を三つの縦方向の鞘４６ａ〜４６ｃに分割する。鞘４６ａ〜４６ｃの底は、第二毛布４０の底面および第一毛布１２の上面に配置されたスナップファスナ４８を使用して閉じることができる。スナップファスナをフックアンドループ締結材、ジッパ、および当業者に公知の他の締結装置に置き換えることができる。フックアンドループ締結材１６ａ、１６ｂの幾つかはこの実施形態では、第一実施形態における第一毛布１２の上面のそれらの位置から第二毛布４０の上面に移動されている。
【００２０】
ベビーベッド用安全シーツおよび毛布複合体の第二実施形態は、鞘４６ａ、４６ｂ、４６ｃ内にエッグクレートクッション材またはエアパッド型の材料のような支持材を挿入することができることを除いては、第一実施形態と同様の方法で使用される。ホットおよびコールドパックのような温度調整材を鞘４６ａ、４６ｂ、４６ｃ内に挿入することもできる。支持材は、鞘の底部に配置されたスナップファスナ４８を使用することによって、鞘内で固定される。
【００２１】
次に、ベビーベッド用安全シーツおよび毛布複合体の第三、第四、および第五実施形態について説明する。これらの実施形態はボックスシーツの変形を含む。第三ないし第五実施形態は、図１〜４の第一実施形態で記載した毛布１２、または図５の第二実施形態で記載した二重毛布１２、４０のデザインのいずれかを使用することができる。以下の記述では、シーツの変形および簡潔を期すために第一毛布１２のみとのそれらの使用について説明する。
【００２２】
図６に示す本発明の第三実施形態５０は、第一実施形態のボックスシーツを、布袋５２または一般に拡大したピローケースに類似したケースと置換する。布袋５２は上面、底面、および一つの開口端を有し、上面は布袋５２の一体的部分としてのシーツによって形成される。布袋５２内には開口端から通常、新生児用かご型ベッドパッドまたは小さいマットレスのような寝具材が挿入される。毛布１２がボックスシーツ１４に取り付けられるのと同様の方法で、毛布１２は布袋５２の上面に縫着される。他の全ての点に関し、毛布１２は第一実施形態と同一であり、これ以上は説明しない。
【００２３】
本発明の第四実施形態６０を図７に示す。この実施形態６０は、第一実施形態のボックスシーツ１４に代えて、略長方形のシート状の材料６２を使用することが好ましい。シーツ６２は、表面６４、裏面６６、頂縁、底縁、左縁６８、および右縁７０を有する。フックアンドループ締結材７２のような締結装置が右縁７０および左縁６８の両方に配置される。フックアンドループ締結材の代わりに、スナップファスナまたは任意の他の適切な締結装置を使用することもできる。シーツ６２はさらに、その表面６４と裏面６６との間に画定される複数のアパーチャ７８を有する。アパーチャ７８は、右縁７０および左縁６８に近接して、かつそれらと平行に配置することが好ましい。しかし、シーツの縁６８および７０付近のアパーチャ７８の配置は本発明の必要不可欠の態様ではなく、アパーチャ７８は後述するように中央寄りに配置することができる。第三実施形態の場合と同様に、毛布１２は、毛布１２がボックスシーツ１４に取り付けられるのと同様の方法で表面６４に縫着され、他の全ての点が第一実施形態の毛布１２と同一であり、これ以上は説明しない。
【００２４】
第四実施形態６０は、図８に示すように、フルサイズの大人用マットレスに使用することができる。シーツ６２は裏面６６を下向きにマットレスの上面に向けて配置される。シーツ６２をマットレスに固定するために、調整可能なストラップ８０がアパーチャ７８に通され、ベッド枠の柱またはアクセサリガードレールに通される。布補強スリットから金属またはプラスチック補強リングに及ぶ広範囲の適切なアパーチャ７８をデザインすることは、充分に当業者の能力の範囲内である。しかし、固い材料や不快な材料を含むアパーチャは、本発明を後述するようにベビーベッドパッドまたは新生児用かご型ベッドで使用する場合、乳幼児が不快にならないように、中央寄りに配置すべきであることに注意しなければならない。
【００２５】
第四実施形態６０は、図９および１０に示すように、ベビーベッドマットレスのようなより小型の寝具材に使用することもできる。これらのより小型の適用例の場合、シーツ６２は、シーツ６２の裏面６６がマットレスと接触する状態で、マットレスの頭と足とのほぼ中間で、マットレスに完全に巻きつけられる。シーツの左縁６８および右縁７０は、上述したフックアンドループ締結材７２を使用して相互に固定される。
【００２６】
第四実施形態はまた、新生児用かご型ベッドパッドのようにさらに小さい寝具材にも使用することができる。第一に、シーツの左縁６８および右縁７０が、上記において詳述したように、ただし介在するマットレス無しで、相互に取り付けられる。次いで二重厚みのシーツ６２が新生児用かご型ベッドパッドまたはその類似物の周りに巻き付けられる。次いでシーツ６２は、ファスナ７７をファスナ７９に結合することによって適位置に固定される。
【００２７】
図１１および１２に示すように、本発明の第五実施形態８０は第一実施形態の毛布１２を使用するが、上述した実施形態のボックスシーツ１４に代えて略長方形のシーツ８２を使用する。シーツ８２は表面、裏面、および二つの対向端を有する。各対向端に隣接してフックアンドループ締結材８４の幾つかのセクションが配置される。
【００２８】
幾つかのストラップ８８は、シーツ８２に取り付けられた一端を持ち、マットレスまたはベビーベッドの枠の下に巻きつけられ、シーツ８２上の前述したフックアンドループ締結材８４に着脱自在に取付け可能なフックアンドループ締結材の対応セクション８６を持つ第二端を有する。フックアンドループ締結材はストラップ取付けの好適な方法であるが、ボタン、スナップ、およびバックルを含むが、それらには限定されない、任意の適切な方法を使用することもできる。ストラップ８８自体は弾性を有することが好ましいが、任意の適切なストラップを使用することができる。各々のストラップ８８はスペーサ９０に取り付けられるか、またはスペーサ９０の下を通り抜ける。スペーサ９０は平坦な略長方形のシートであり、ストラップを保持し、ストラップ８８が適切に配置されかつ方向付けられた状態に維持するのに役立つ。使用時に、スペーサはマットレスの下に配置される。第五実施形態８０もまた、二組の対応するファスナ９１、９２を有する。ファスナ９１は対向するファスナ９２に取り付けられ、そうすることで、シーツ８２の全体的サイズを低減し、それによってより小さいサイズの寝具材用の装置を作成するように設計される。
【００２９】
ボックスシーツおよび毛布の形状および／またはサイズを、ベビーベッド、新生児用かご型ベッド、保育器、およびベビーサークルのように種々の異なる乳幼児用の寝装具に適応させることは、充分に当業者の能力の範囲内である。シーツおよび毛布は、綿、ウール、ポリエステル、シルク、ライクラ（商標）、およびナイロンを含め、任意の適切な材料から作ることができる。
【００３０】
本発明は、上述した実施形態に限定されず、請求の範囲に記載する範囲内の全ての実施形態を包含することを理解されたい。
【図面の簡単な説明】
【００３１】
【図１】乳幼児が毛布内に固定された状態の本発明に係るベビーベッド用安全シーツおよび毛布複合体の部分周辺斜視図。
【図２】マットレスの周囲に配置されたベビーベッド用安全シーツおよび毛布複合体の平面図。
【図３】マットレスの周囲に配置されたベビーベッド用安全シーツおよび毛布複合体の底面図。
【図４】乳幼児用安全シーツおよび毛布複合体を装備したマットレス底面の斜視図。
【図５】マットレスの周囲に配置された安全シーツおよび毛布複合体の第二実施形態の平面図。
【図６】本発明の第三実施形態の上面周辺斜視図。
【図７】本発明の第四実施形態の平面図。
【図８】本発明の第四実施形態の周辺斜視図。
【図９】本発明の第四実施形態の上面周辺斜視図。
【図１０】本発明の第四実施形態の底面周辺斜視図。
【図１１】本発明の第五実施形態の上面周辺斜視図。
【図１２】本発明の第五実施形態の上面周辺斜視図。
【図１】
2005530521.tif 000003
【図２】
2005530521.tif 000004
【図３】
2005530521.tif 000005
【図４】
2005530521.tif 000006
【図５】
2005530521.tif 000007
【図６】
2005530521.tif 000008
【図７】
2005530521.tif 000009
【図８】
2005530521.tif 000010
【図９】
2005530521.tif 000011
【図１０】
2005530521.tif 000012
【図１１】
2005530521.tif 000013
【図１２】
2005530521.tif 000014
【国際調査報告】
2005530521.tif 000015
2005530521.tif 000016